(57)【要約】【課題】設計段階で設定される簓桁の設置傾斜角度が施工現場で実際に設置した時の傾斜角度と異なったり、その傾斜角度が変更された場合でも、各段板を水平に取り付け固定することの出来る階段装置を提供する。【解決手段】簓桁１に複数の段板２を夫々段板受け３を介して取り付けてなるスケルトン型の階段装置であって、各段板２の下面側を横断面凸形アール状に形成すると共に、各段板受け３の受け面３ｏを段板２下面側の凸形アール状面５に対応する凹形アール状に形成し、各段板２の凸形アール状面５部分を各段板受け３の凹形アール状の受け面３ｏに対しスライド調整可能に係合させて固定するように構成した。【選択図】図６
2006161428.tif 000002
【特許請求の範囲】
【請求項１】
簓桁（ささらげた）に複数の段板を夫々段板受けを介して取り付けてなるスケルトン型の階段装置であって、
各段板の下面側を横断面凸形アール状に形成すると共に、各段板受けの受け面を段板下面側の凸形アール状面に対応する凹形アール状に形成し、各段板の凸形アール状面部分を各段板受けの凹形アール状受け面に対しスライド調整可能に係合させて固定するようにしたことを特徴とする階段装置。
【請求項２】
簓桁の上下端部を設置すべき建物の床面及び立壁面に取り付けるにあたり、簓桁の下端面及び上端面を床面及び立壁面に夫々当接可能な斜面に形成し、互いに直交する一対の取付板からなるＬ形取付金具の一方の取付板を床面にビス止めし、他方の取付板を簓桁の下端部内に挿入して、その内壁面にビス止めし、同じくＬ形取付金具の一方の取付板を立壁面にビス止めし、他方の取付板を簓桁の上端部内に挿入して、その内壁面にビス止めするようにしたことを特徴とする請求項１に記載の階段装置。
【請求項３】
水平取付部とこれの端部から垂直に延びる支柱本体部とからなる断面円形の支柱部材を簓桁に沿って所要間隔おきに配置し、各支柱部材の水平取付部を、段板受けの上側面部に形成した円弧状の受け部に回転可能に嵌合させて固定し、支柱本体部を手摺杆に枢着することによって手摺を設置してなることを特徴とする請求項１又は２に記載の階段装置。
【発明の詳細な説明】
【技術分野】
【０００１】
本発明は、簓桁（ささらげた）に複数の段板を取り付けてなるスケルトン型の階段装置に関する。スケルトン型階段とは、蹴込み板及び側桁をもたないタイプの階段のことで、ストリップ階段あるいはシースルー階段と呼ばれることもある。
【背景技術】
【０００２】
従来のスケルトン型階段装置として、特許公報等の公知文献を具体的に挙げることは出来ないが、従来この種の階段装置においては、段板の後端部が係合する段板用係合部を簓桁に一定ピッチで形成しておいて、この簓桁の段板用係合部に各段板を係合させてビス等により固定するようにしていた。
【発明の開示】
【発明が解決しようとする課題】
【０００３】
上記のような従来の階段装置によれば、簓桁の段板用係合部は設計時に設定される簓桁の傾斜角度に基づいて形成されるから、この簓桁の設置傾斜角度が施工現場で実際に簓桁を実際に設置した時の傾斜角度と可成り異なったり、或いはその傾斜角度が変更されるような場合には、段板の水平度が狂って、水平に取り付け出来なくなり、最悪の場合には簓桁を製作し直さなければならない、と云うような問題があった。
【０００４】
本発明は、上記の課題に鑑み、設計段階で設定される簓桁の設置傾斜角度が施工現場で実際に設置した時の傾斜角度と異なったり、或いはその傾斜角度が変更された場合でも、各段板を水平に取り付け固定することの出来る階段装置を提供することを目的とする。
【課題を解決するための手段】
【０００５】
上記課題を解決するための手段を、後述する実施形態の参照符号を付して説明すると、  請求項１に係る発明は、簓桁１に複数の段板２を夫々段板受け３を介して取り付けてなるスケルトン型の階段装置であって、各段板２の下面側を横断面凸形アール状に形成すると共に、各段板受け３の受け面３ｏを段板２下面側の凸形アール状面５に対応する凹形アール状に形成し、各段板２の凸形アール状面５部分を各段板受け３の凹形アール状受け面３ｏに対しスライド調整可能に係合させて固定するようにしたことを特徴としている。
【０００６】
請求項２は、請求項１に記載の階段装置において、簓桁１の上下端部を設置すべき建物の床面ＦＷ及び立壁面ＶＷに取り付けるにあたり、簓桁１の下端面１ｂ及び上端面１ａを床面ＦＷ及び立壁面ＶＷに夫々当接可能な斜面に形成し、互いに直交する一対の取付板１３ａ，１３ｂからなるＬ形取付金具１３の一方の取付板１３ａを床面ＦＷにビス１４止めし、他方の取付板１３ｂを簓桁１の下端部内に挿入して、その内壁面にビス１４止めし、同じくＬ形取付金具１３の一方の取付板１３ａを立壁面ＶＷにビス１４止めし、他方の取付板１３ｂを簓桁１の上端部内に挿入して、その内壁面にビス１４止めするようにしたことを特徴とする。
【０００７】
請求項３は、請求項１又は２に記載の階段装置において、水平取付部８ｂとこれの端部から垂直に延びる支柱本体部８ａとからなる断面円形の支柱部材８を簓桁に沿って所要間隔おきに配置し、各支柱部材８の水平取付部８ｂを、段板受け３の上側面部に形成した円弧状の受け部１０に回転可能に嵌合させて固定し、支柱本体部８ａを手摺杆９に枢着することによって手摺り４を設置してなることを特徴とする。
【発明の効果】
【０００８】
上記解決手段による発明の効果を、後述する実施形態の参照符号を付して説明すると、  請求項１に係る発明によれば、各段板２の下面側を横断面凸形アール状に形成すると共に、段板受け３の受け面３ｏを段板下面側の凸形アール状面５に対応する凹形アール状に形成し、各段板２の凸形アール状面５を段板受け３の凹形アール状受け面３ｏに対しスライド調整可能に係合させて固定するようにしたから、簓桁１の傾斜角度が変更される場合には、段板受け３の受け面３ｏを段板２下面側の凸形アール状面５に対し適宜スライドさせることによって段板２を水平状態に設定でき、また設計段階で設定される簓桁の設置傾斜角度が施工現場で実際に設置した時の傾斜角度と異なるような場合は、段板２が水平となるように段板２の下面側凸形アール状面５を段板受け３の受け面３ｏに対しスライドさせて、踏み面２ａが水平となった位置で段板２を段板受け３に対し固定すればよい。従って、各段板２を常に水平に取り付け固定することができる。
【０００９】
請求項２に係る発明によれば、簓桁１の設置傾斜角度θが変更されても、その変更角度に応じて、簓桁１の上下端面１ａ，１ｂを立壁面ＶＷ及び床面ＦＷに夫々当接させた状態で的確に取り付けることができる。
【００１０】
請求項３に係る発明によれば、設計段階で設定される簓桁１の設置傾斜角度θが施工現場で実際に設置した時の傾斜角度と異なったり、或いはその傾斜角度θが変更される場合でも、各支柱部材８のの水平取付部８ｂを段板受け３の円弧状受け部１０で適宜回転調整した上でビス１１止めすることによって、各支柱本体部８ａが鉛直姿勢となるように各支柱部材８を立設することができる。また、各支柱本体部８ａの上端部を手摺杆９に枢着するから、簓桁１の設置傾斜角度θの変更に容易に対応することができる。
【発明を実施するための最良の形態】
【００１１】
以下に本発明の好適な実施形態について図面を参照して説明すると、図１は本発明に係る階段装置の側面図、図２は同階段装置の正面図、図３は図２の一部拡大図、図４は同階段装置の一部拡大斜視図、図５は図１の矢印アで示される部分の拡大図であり、図６は本発明の要部の作用を示す側面図である。また図７の(a) は簓桁の設置状態を示す側面図、(b) は同設置状態の正面図、(c) は同設置状態の平面図、(d) は簓桁の横断面図である。この階段装置は、二列に配置される簓桁１，１に複数の段板２を夫々段板受け３を介して取り付けてなるスケルトン型の階段装置であって、階段の片側には手摺り４が設置されている。
【００１２】
簓桁１は、図７の(d) に示すような横断面略矩形状のアルミ押し出し筒状形材からなるもの、あるいは図７の(e) に示すように、角形鋼管( 角パイプ) からなるもので、図１に示すように簓桁１の上下端部を設置すべき建物の立壁面ＶＷ及び床面ＦＷに取り付けるにあたって、床面ＦＷとの傾斜角度θが例えば４５°に設定された場合は、簓桁１の上端面１ａ及び下端面１ｂが立壁面ＶＷ及び床面ＦＷに夫々密接状態で当接可能な４５°の斜面に形成される。
【００１３】
各段板２は、例えば木材の集成材からなるもので、上面が水平面状の踏み面２ａを形成し、そして下面側は図４及び図５から分かるように、横断面凸形アール状に形成されている。この凸形アール状面を符号５で示す。各段板受け３は、例えばアルミ押し出し形材、あるいは鋳物成形からなるもので、図５から分かるように、上面に受け面３ｏを形成した略Ｔ形状の受け部本体３ａと、この受け部本体３ａの下端部に形成された傾斜状の取付脚部３ｂとからなり、受け部本体３ａの受け面３ｏは、段板２下面側の凸形アール状面５に対応する凹形アール状に形成されていて、各段板２の下面側凸形アール状面５に対しスライド調整可能に適宜に係合し、この係合した状態でビス６により段板２を保持固定するようになっている。また各段板受け３の取付脚部３ｂはビス７によって簓桁１の上端面に固定されるか、あるいは段板受け３が鋳物で形成され、簓桁１が鋼管によって形成される場合には、両者は溶接によって固定される。
【００１４】
手摺り４は、簓桁１に沿って所要間隔おきに配置される複数の支柱部材８と、これら支柱部材８の上端部どうしをつなぐ手摺杆９とから構成される。各支柱部材８は、図３、図４および図５に示すように、金属製の丸パイプ材からなるもので、水平取付部８ｂとこれの一端部から垂直に延びる支柱本体部８ａとによってＬ字状に形成され、各水平取付部８ｂは、段板受け３の上側面部に形成された円弧状の受け部１０に回転可能に嵌合されてビス１１により固定されるようになっている。各支柱部材８の支柱本体部８ａの上端部は手摺杆９に対し回動可能に枢着されている。尚、図１において、１２は隣合う支柱部材８，８の対向する支柱本体部８ａ，８ａどうしをつなぐ支柱補強材である。
【００１５】
この階段装置を、図１に示すような建物の立壁面ＶＷと床面ＦＷとに亘って設置するにあたっては、簓桁１の上端面１ａ及び下端面１ｂを立壁面ＶＷ及び床面ＦＷに夫々当接可能な斜面に形成する。即ち、この場合に、床面ＦＷに対する簓桁１の傾斜角度θが例えば４５°に設定されているものとすれば、簓桁１の上端面１ａ及び下端面１ｂを夫々４５°に斜め切りされた斜面とする。しかして、図７の(a) 〜(c) に示すように簓桁１の上下両端斜面１ａ，１ｂを立壁面ＶＷ及び床面ＦＷに夫々当接させた状態で夫々Ｌ形取付金具１３，１３を介して立壁面ＶＷ及び床面ＦＷにビス１４により取り付け固定する。
【００１６】
Ｌ形取付金具１３は、図８に示すように、互いに直交する一対の取付板１３ａ，１３ｂからなるもので、一方の取付板１３ａは、立壁面ＶＷあるいは床面ＦＷに当接されてビス１４止めされるもので、長方形状に形成され、ビス挿通孔１３ｄが設けられており、他方の取付板１３ｂは、簓桁１の端部内に挿入されるように平行四辺形状に形成されていて、複数のビス挿通孔（図示省略）が設けられていると共に、その裏面側にはナット１３ｃがビス挿通孔と同心状に固着されている。
【００１７】
このＬ形取付金具１３を使用して簓桁１の上下端部を立壁面ＶＷ及び床面ＦＷに取り付けるには、先ず、簓桁１の下端部を床面ＦＷに取り付けてから、その上端部を立壁面ＶＷに取り付ける。簓桁１の下端部を床面ＦＷに取り付ける時は、Ｌ形取付金具１３の一方の取付板１３ａを床面ＦＷの所要位置に当接させて、そのビス孔１３ｄよりビス１４を床面ＦＷにねじ込んで固定した後、他方の取付板１３ｂを簓桁１の下端部内に挿入して、その内壁面に当て付け、簓桁１下端部の所要位置に設けたビス挿通孔（図示せず）からビス１４を取付板１３ａのナット１３ｃにねじ込んで、取付板１３ａを簓桁１側に固定する。この後、簓桁１の上端部を同じＬ形取付金具１３によって立壁面ＶＷに取り付ける。即ち、Ｌ形取付金具１３の一方の取付板１３ａを立壁面ＶＷの所要位置に当接させて、そのビス孔１３ｄよりビス１４を立壁面ＶＷにねじ込んで固定した後、他方の取付板１３ｂを簓桁１の上端部内に挿入して、その内壁面に当て付け、簓桁１上端部の所要位置に設けたビス挿通孔（図示せず）からビス１４を取付板１３ａのナット１３ｃにねじ込んで、取付板１３ａを簓桁１側に固定すればよい。このＬ形取付金具１３の取付板１３ａは、簓桁１の上下各端部内に挿入してその内壁面に当接させた状態で左右前後にある程度余裕をもって移動させることができる大きさに形成されている。
【００１８】
このＬ形取付金具１３を使用すれば、簓桁１の設置角度、即ち床面ＦＷに対する簓桁１の傾斜角度θが設置現場の都合等により例えば４５°から５０°に変更された場合でも、その変更角度に応じて、簓桁１の上下端面１ａ，１ｂを立壁面ＶＷ及び床面ＦＷに夫々当接させた状態で的確に取り付けることができる。即ち、この場合は、簓桁１の上端面１ａ及び下端面１ｂを夫々夫々５０°の斜面に形成し、簓桁１の上下端部に挿入されるＬ形取付金具１３の取付板１３ｂと簓桁１の端部とのビス止め位置を適宜調整すればよい。
【００１９】
上記のようにして２本の簓桁１，１の夫々上下端部をＬ形取付金具１３，１３を介して立壁面ＶＷ及び床面ＦＷに取り付け固定したならば、段板２を例えば下位側から上位側へと順次簓桁１に段板受け３を介して取り付ける。この段板２の取付けにあたっては、図５に示すように、段板受け３の取付脚部３ｂを簓桁１の上側面１ｃの所要位置に載置してビス７または溶接により固定した後、受け部本体３ａの受け面３ｏに段板２の凸形アール状面５を係合させて適宜スライドさせながら、段板２の上面である踏み面２ａが水平となった状態で、受け部本体３ａ側のビス挿通孔１５より段板２に対しビス６をねじ込むことにより、段板２を段板受け３に固定する。このようにして各段板２を段板受け３に固定することによって、各段板２を簓桁１に対して水平に（踏み面２ａが水平となった状態に）取り付けることができる。
【００２０】
図６は床面ＦＷに対する簓桁１の傾斜角度がθ１からθ２或いはθ３に変更されても、段板２を簓桁１に対して水平に取り付けることができるとする状態を示している。即ち、前記したように、段板２下面側が横断面凸形アール状に形成されていると共に、段板受け３の受け面３ｏが段板下面側の凸形アール状面５に対応する凹形アール状に形成されていて、段板２の凸形アール状面５が段板受け３の凹形アール状受け面３ｏに対しスライド自在に係合するようになっているから、実線で示す簓桁１の傾斜角度がθ１である時に段板２上面の踏み面２ａが水平となっている状態から簓桁１の傾斜角度がθ１からθ２（＜θ１）に変更される場合には、図６の一点鎖線で示すように段板受け３の受け面３ｏを段板２下面側の凸形アール状面５に沿って一方向にスライドさせることにより、段板２は傾斜角度がθ１の時と同様に水平状態を維持することができ、また簓桁１の傾斜角度がθ１からθ３（＞θ１）に変更される場合は、同図の二点鎖線で示すように段板受け３の受け面３ｏを段板２下面側の凸形アール状面５に沿ってθ２の場合とは逆方向にスライドさせることにより、段板２はθ１及びθ２の場合と同様に水平状態を維持することができる。
【００２１】
尚、図６では、簓桁１の傾斜角度が変更される場合を例示したが、設計段階で設定される簓桁の設置傾斜角度が施工現場で実際に設置した時の傾斜角度と異なるような場合は、前述したように、段板２の踏み面２ａが水平となるように段板２の下面側凸形アール状面５を段板受け３の受け面３ｏに対し適宜スライドさせて、踏み面２ａが水平となった位置で段板２を段板受け３に対し固定すればよい。
【００２２】
次に、手摺り４を設置する場合について説明すると、図５に示すように、各支柱部材８の水平取付部８ｂを段板受け３の上側面部に形成された円弧状受け部１０に嵌合して適宜回転させながら、支柱本体部８ａが水平面に対し垂直な姿勢、即ち鉛直姿勢となる位置で受け部本体３ａのビス挿通孔１６（図５参照）よりビス１１を水平取付部８ｂにねじ込むことにより水平取付部８ｂを受け部本体３ａに固定して、各支柱部材８を立設し、そして隣合う支柱部材８，８の対向する支柱本体部８ａ，８ａどうしを支柱補強材１２によって連結する。
【００２３】
この後、各支柱部材８の支柱本体部８ａの上端部を一連の手摺杆９に枢着することによって、手摺り４の設置が完了する。手摺杆９に支柱本体部８ａの上端部を枢着するにあたっては、図９に示すように、各支柱本体部８ａの上端部に枢着用ブラケット１７を取り付け、手摺杆９の下面側所要部位に所要間隔おきに枢着用ブラケット１８を取り付けておき、各支柱本体部８ａ側の枢着用ブラケット１７を手摺杆９側の枢着用ブラケット１８に係合して、両ブラケット１７，１８に枢着軸としてのボルト１９を貫通させ、ナット（図示省略）を締め付けるようにすればよい。
【００２４】
上記の手摺り４によれば、各支柱部材８が金属製の丸パイプ材（断面円形のもの）からなるもので、水平取付部８ｂとこれの一端部から垂直に延びる支柱本体部８ａとによってＬ字状に形成され、水平取付部８ｂが段板受け３の上側面部に形成された円弧状の受け部１０に回転可能に嵌合されてビス１１により固定されるようになっているから、設計段階で設定される簓桁１の設置傾斜角度θが施工現場で実際に設置した時の傾斜角度と異なったり、或いはその傾斜角度θが変更される場合でも、各支柱部材８のの水平取付部８ｂを段板受け３の円弧状受け部１０に嵌合させた状態で、図５の仮想線で示す支柱本体部８ａを揺動させて水平取付部８ｂを適宜に回転調整した上でビス１１止めすることによって、各支柱本体部８ａが鉛直姿勢となるように各支柱部材８を立設することができる。また、各支柱本体部８ａの上端部を手摺杆９に枢着するから、簓桁１の設置傾斜角度θの変更に容易に対応することができる。
【００２５】
以上の実施形態の階段装置では、簓桁１を二列に配置して使用したが、簓桁１は三列以上でもよいし、また幅の比較的広いものであれば、１本のものを使用することもできる。また、この実施形態では、階段の片側に手摺り４を設置し、このために各支柱部材８を支柱本体部８ａと水平取付部８ｂとでＬ字状に形成しているが、手摺り４は階段の両側に設置するようにしてもよく、その場合には各支柱部材８を両側一対の支柱本体部８ａ，８ａと両支柱本体部８ａ，８ａの下端部どうしをつなぐ水平取付部８ｂとで上向きコ字状に形成すればよい。
【図面の簡単な説明】
【００２６】
【図１】本発明に係る階段装置の側面図である。
【図２】同階段装置の正面図である。
【図３】図２の一部拡大図である。
【図４】同階段装置の一部拡大斜視図である。
【図５】図１の矢印アで示される部分の拡大図である。
【図６】本発明の要部の作用を示す側面図である。
【図７】(a) は簓桁の設置状態を示す側面図、(b) は同設置状態の正面図、(c) は同設置状態の平面図、(d) は簓桁の横断面図、(e) は簓桁の他の実施形態の横断面図である。
【図８】(a) はＬ形取付金具の正面図、(b) は側面図、(c) は平面図である。
【図９】図１の矢印イで示される部分の拡大図である。
【符号の説明】
【００２７】
１          簓桁
２          段板
３          段板受け
３ｏ        受け面
４          手摺り
５          段板下面側の凸形アール状面
６，７      ビス
８          手摺りの支柱部材
８ａ        支柱本体部
８ｂ        水平取付部
９          手摺杆
１０        段板受けに設けた円弧状受け部
１１        ビス
１３        Ｌ形取付金具
１３ａ      取付板
１３ｂ      取付板
１４        ビス
【図１】
2006161428.tif 000003
【図２】
2006161428.tif 000004
【図３】
2006161428.tif 000005
【図４】
2006161428.tif 000006
【図５】
2006161428.tif 000007
【図６】
2006161428.tif 000008
【図７】
2006161428.tif 000009
【図８】
2006161428.tif 000010
【図９】
2006161428.tif 000011